(57)【要約】【課題】送信システムにおける光信号のＩ成分及びＱ成分と受信システムにおける光信号のＩ成分及びＱ成分とが一致しているか否かを、受信システムにおいて検出することが可能である位相反転検出回路を提供する。【解決手段】位相反転検出回路は、複素データに対して硬判定を実行する判定部と、硬判定の今回の結果と硬判定の前回の結果とに基づくパタンである第１パタンを決定する決定部と、予め定められた第２パタンと第１パタンとを照合し、予め定められた第２パタンと第１パタンとが一致しているか否かを判定する照合部と、複素データの位相における同相成分と直交成分とが反転しているか否かを、照合部による照合の結果に基づいて検出する反転検出部とを備える。【選択図】図１
2017041666.tif 000002
【特許請求の範囲】
【請求項１】
複素データに対して硬判定を実行する判定部と、
前記硬判定の今回の結果と前記硬判定の前回の結果とに基づくパタンである第１パタンを決定する決定部と、
予め定められた第２パタンと前記第１パタンとを照合し、前記第２パタンと前記第１パタンとが一致しているか否かを判定する照合部と、
前記複素データの位相における同相成分と直交成分とが反転しているか否かを、前記照合部による照合の結果に基づいて検出する反転検出部と、
を備える位相反転検出回路。
【請求項２】
前記同相成分と前記直交成分とが反転している場合、前記同相成分と前記直交成分とを入れ替える入替部
を更に備える、請求項１に記載の位相反転検出回路。
【請求項３】
前記第２パタンは、前記同相成分と前記直交成分とが反転している場合における前記第１パタンと等しい、請求項１又は請求項２に記載の位相反転検出回路。
【発明の詳細な説明】
【技術分野】
【０００１】
本発明は、位相反転検出回路に関する。
【背景技術】
【０００２】
基幹系の光伝送システムでは、クライアント信号を経済的に収容し、大容量の情報を高速に伝送することが求められている。周波数の利用効率を向上させる観点から、コヒーレント検波とデジタル信号処理とを組み合わせたデジタルコヒーレント伝送方式が検討されている。デジタルコヒーレント伝送方式を用いた波長多重伝送によって、大容量の情報を高速に転送することが期待されている。
【０００３】
デジタルコヒーレント伝送方式では、受信システムに受信された光信号の同相成分（以下、「Ｉ成分」という。）と直交成分（以下、「Ｑ成分」という。）とは、受信された光信号と局発光とがミキシングされるコヒーレント検波によって検出される。デジタルコヒーレント伝送方式では、受信システムは、検出されたＩ成分及びＱ成分に基づくデジタル信号処理によって、送信システムと受信システムと光ファイバ伝送路とに生じた波形劣化（例えば、波長分散）を補償する（非特許文献１参照）。
【先行技術文献】
【非特許文献】
【０００４】
【非特許文献１】「光通信ネットワークの大容量化に向けたディジタルコヒーレント信号処理技術の研究開発」,電子情報通信学会誌 Vol.95, No.12, 2012.
【発明の概要】
【発明が解決しようとする課題】
【０００５】
受信システムは、送信システムが送信した光信号のＩ成分を、光信号のＱ成分として受信してしまう場合がある。すなわち、受信システムは、送信システムが送信した光信号のＱ成分を、光信号のＩ成分として受信してしまう場合がある。
【０００６】
受信システムは、送信システムにおける光信号のＩ成分及びＱ成分と受信システムにおける光信号のＩ成分及びＱ成分とが入れ替わっている場合、送信システムとの同期を確立することができない。したがって、受信システムは、送信システムにおける光信号のＩ成分及びＱ成分と、受信システムにおける光信号のＩ成分及びＱ成分とが一致しているか否かを検出する必要がある。
【０００７】
しかしながら、従来の受信システムは、送信システムにおける光信号のＩ成分及びＱ成分と受信システムにおける光信号のＩ成分及びＱ成分とが一致しているか否かを、受信システムにおいて検出することができないという問題がある。
【０００８】
上記事情に鑑み、本発明は、送信システムにおける光信号のＩ成分及びＱ成分と受信システムにおける光信号のＩ成分及びＱ成分とが一致しているか否かを、受信システムにおいて検出することが可能である位相反転検出回路を提供することを目的としている。
【課題を解決するための手段】
【０００９】
本発明の一態様は、複素データに対して硬判定を実行する判定部と、前記硬判定の今回の結果と前記硬判定の前回の結果とに基づくパタンである第１パタンを決定する決定部と、予め定められた第２パタンと前記第１パタンとを照合し、前記第２パタンと前記第１パタンとが一致しているか否かを判定する照合部と、前記複素データの位相における同相成分と直交成分とが反転しているか否かを、前記照合部による照合の結果に基づいて検出する反転検出部と、を備える位相反転検出回路である。
【００１０】
本発明の一態様は、上記の位相反転検出回路であって、前記同相成分と前記直交成分とが反転している場合、前記同相成分と前記直交成分とを入れ替える入替部を更に備える。
【００１１】
本発明の一態様は、上記の位相反転検出回路であって、前記第２パタンは、前記同相成分と前記直交成分とが反転している場合における前記第１パタンと等しい。
【発明の効果】
【００１２】
本発明により、送信システムにおける光信号のＩ成分及びＱ成分と受信システムにおける光信号のＩ成分及びＱ成分とが一致しているか否かを、受信システムにおいて検出することが可能となる。
【図面の簡単な説明】
【００１３】
【図１】実施形態における、光伝送システムの構成の例を示す図である。
【図２】実施形態における、既知信号及び符号化データの例を示す図である。
【図３】実施形態における、信号処理部の構成の例を示す図である。
【図４】実施形態における、フレーム同期部の構成の例を示す図である。
【図５】実施形態における、レーンＸＩの複素データ及びレーンＸＱの複素データが４値位相変調される場合について判定部の動作の例を示す図である。
【発明を実施するための形態】
【００１４】
本発明の実施形態について、図面を参照して詳細に説明する。
（第１の実施形態）
図１は、光伝送システム１の構成の例を示す図である。光伝送システム１は、送信システム２と、伝送路３と、受信システム４とを備える。送信システム２（送信機）は、ＤＳＰ２０（Digital Signal Processor）を備える。ＤＳＰ２０は、信号処理部２１を備える。送信システム２は、変換部２２を更に備える。伝送路３は、光ファイバを備える。伝送路３は、光増幅器、波長選択スイッチを更に備えてもよい。受信システム４（受信機）は、変換部４０と、ＤＳＰ４１とを備える。ＤＳＰ４１は、信号処理部４２を備える。
【００１５】
送信システム２のＤＳＰ２０及び変換部２２の一部または全部は、例えば、ＣＰＵ（Central Processing Unit）等のプロセッサが、メモリに記憶されたプログラムを実行することにより機能するソフトウェア機能部である。また、これらの機能部のうち一部または全部は、ＬＳＩ（Large Scale Integration）やＡＳＩＣ（Application Specific Integrated Circuit）等のハードウェア機能部（回路）であってもよい。受信システム４の変換部４０及びＤＳＰ４１についても同様である。
【００１６】
送信システム２は、記憶部を備えてもよい。記憶部は、例えば、ＲＯＭ（Read Only Memory）、フラッシュメモリ、ＨＤＤ（Hard Disk Drive）などの不揮発性の記憶媒体（非一時的な記録媒体）を有する。記憶部は、例えば、ＲＡＭ（Random Access Memory）やレジスタなどの揮発性の記憶媒体を有していてもよい。記憶部は、例えば、ソフトウェア機能部を機能させるためのプログラムを記憶してもよい。記憶部は、例えば、ビットのパタンを記憶してもよい。受信システム４についても同様である。
【００１７】
信号処理部２１は、データを含むクライアント信号を取得する。信号処理部２１は、取得したクライアント信号に含まれているデータを、前方誤り訂正に基づいて符号化する。なお、信号処理部２１は、符号化されたデータを取得してもよい。
【００１８】
図２は、既知信号及び符号化データの例を示す図である。信号処理部２１は、信号処理部２１は、符号化されたデータ（符号化データ）に既知信号を付与する。符号化されたデータと既知信号とは、フレームを構成する。既知信号は、フレームの先頭に付与される。
【００１９】
信号処理部２１は、符号化されたデータを、複素電界を表す情報（複素データ）にマッピングする。信号処理部２１は、マッピングされたデータにフィルタリング処理を施す。信号処理部２１は、マッピングされた信号に応じたアナログの電気信号を、変換部２２に出力する。
【００２０】
変換部２２は、マッピングされた信号に応じたアナログの電気信号に、光変換処理を施す。変換部２２は、例えば、ドライバ及び変調器を有する。変換部２２は、マッピングされた信号に応じた光による信号（以下、「光信号」という。）を、伝送路３を介して受信システム４に送信する。
【００２１】
変換部４０は、伝送路３を介して、光信号を取得する。変換部４０は、受信された光信号と局発光とをミキシングして、光信号をアナログの電気信号に変換する。すなわち、変換部４０は、光信号をコヒーレント受信する。変換部４０は、例えば、偏波多重９０度ハイブリッド又はフォトディテクタ（PD）を備える。
【００２２】
信号処理部４２は、光信号に応じたアナログの電気信号を取得する。信号処理部４２は、光信号に応じたアナログの電気信号に信号処理を施すことによってデータを得る。信号処理部４２は、例えば、データの誤りを訂正する処理（波長分散補償）を実行する。信号処理部４２は、光信号に応じたデジタルのデータを送信する。なお、信号処理部４２は、光信号に応じたデジタルの電気信号を取得してもよい。
【００２３】
図３は、信号処理部４２の構成の例を示す図である。信号処理部４２は、波形等化処理部４２１と、フレーム同期部４２２と、復号部４２３とを備える。波形等化処理部４２１は、光信号に応じたデジタルの電気信号を、複数の通信路（レーン）を介して変換部４０から取得する。図３では、波形等化処理部４２１は、レーンＨＩ、レーンＨＱ、レーンＶＩ及びレーンＶＱを介して、変換部４０から電気信号を取得する。波形等化処理部４２１は、伝送路３で光信号に生じた波長分散や偏波モード分散を、波形等化処理によって補償する。波形等化処理部４２１は、レーンＸＩ、レーンＸＱ、レーンＹＩ及びレーンＹＱを介して、波形等化された複素データをフレーム同期部４２２に送信する。
【００２４】
フレーム同期部４２２は、複数の系列の複素データを、波形等化処理部４２１から取得する。すなわち、フレーム同期部４２２は、レーンＸＩ、レーンＸＱ、レーンＹＩ及びレーンＹＱを介して、波形等化された複素データを波形等化処理部４２１から取得する。フレーム同期部４２２は、フレームの先頭の位置を表す情報（以下、「フレーム位置情報」という。）を、復号部４２３に送信する。
【００２５】
フレーム同期部４２２は、フレームにおけるレーンＸＩのデータの位置を検出する。フレーム同期部４２２は、フレームにおけるレーンＸＱのデータの位置を検出する。フレーム同期部４２２は、フレームにおけるレーンＹＩのデータの位置を検出する。フレーム同期部４２２は、フレームにおけるレーンＹＱのデータの位置を検出する。フレーム同期部４２２は、レーンＸＩのデータと、レーンＸＱのデータと、レーンＹＩのデータと、レーンＹＱのデータとを、フレームにおける位置の順に並べ替える。フレーム同期部４２２は、レーンＸＩ’のデータと、レーンＸＱ’のデータと、レーンＹＩ’のデータと、レーンＹＱ’のデータとを、データの並べ替えの結果として復号部４２３に送信する。
【００２６】
復号部４２３は、フレーム位置情報をフレーム同期部４２２から取得する。復号部４２３は、レーンＸＩ’のデータと、レーンＸＱ’のデータと、レーンＹＩ’のデータと、レーンＹＱ’のデータとを、レーンごとにフレーム同期部４２２から取得する。復号部４２３は、レーンＸＩ’のデータと、レーンＸＱ’のデータと、レーンＹＩ’のデータと、レーンＹＱ’のデータとを、誤り訂正符号に基づいて復号する。復号部４２３は、誤り訂正符号に基づいてビット誤りが訂正された復号データを送信する。
【００２７】
フレーム同期部４２２の構成の例を説明する。
図４は、フレーム同期部４２２の構成の例を示す図である。フレーム同期部４２２は、位相反転検出部４２４−１と、位相反転検出部４２４−２とを備える。位相反転検出部４２４−１と位相反転検出部４２４−２とは、独立して動作する。以下、位相反転検出部４２４−１と位相反転検出部４２４−２とに共通する事項については、符号の一部を省略して、「位相反転検出部４２４」と表記する。位相反転検出部４２４−１と位相反転検出部４２４−２とに共通する事項については、位相反転検出部４２４の各部についても同様に、符号の一部を省略して表記する。
【００２８】
位相反転検出部４２４は、判定部４２５（硬判定部）と、演算部４２６（決定部）と、非反転パタン部４２７と、反転パタン部４２８と、照合部４２９（パタン照合部）と、反転検出部４３０と、入替部４３１（ＩＱ入替部）とを備える。
【００２９】
判定部４２５と、演算部４２６と、照合部４２９と、反転検出部４３０と、入替部４３１との一部または全部は、例えば、ＣＰＵ等のプロセッサが、メモリに記憶されたプログラムを実行することにより機能するソフトウェア機能部である。また、これらの機能部のうち一部または全部は、ＬＳＩやＡＳＩＣ等のハードウェア機能部（回路）であってもよい。
【００３０】
非反転パタン部４２７と、反転パタン部４２８とは、例えば、ＲＯＭ、フラッシュメモリ、ＨＤＤなどの不揮発性の記憶媒体（非一時的な記録媒体）を有する。非反転パタン部４２７と、反転パタン部４２８とは、例えば、ＲＡＭやレジスタなどの揮発性の記憶媒体を有していてもよい。
【００３１】
判定部４２５は、複数の系列の複素データを、波形等化処理部４２１から取得する。例えば、判定部４２５−１は、レーンＸＩのデータとレーンＸＱのデータとを取得する。判定部４２５−１は、レーンＸＩのデータと閾値とを比較する硬判定処理を実行する。判定部４２５−１は、硬判定処理の結果に基づいて、レーンＸＩのデータを１ビットの値に変換する。判定部４２５−１は、レーンＸＱのデータと閾値とを比較する硬判定処理を実行する。判定部４２５−１は、硬判定処理の結果に基づいて、レーンＸＱのデータを１ビットの値に変換する。
【００３２】
図５は、レーンＸＩの複素データ及びレーンＸＱの複素データが４値位相変調される場合について判定部４２５の動作の例を示す図である。Ｉ軸は、Ｉ成分の軸である。Ｑ軸は、Ｑ成分の軸である。Ｉ軸及びＱ軸は、各レーンのデータを識別するための線（識別線）である。以下、添字ｋは時刻を表す。判定部４２５は、各レーンの複素データに対して硬判定を実行する。
【００３３】
判定部４２５は、Ｉ成分及びＱ成分の組（ＸＩｋ，ＸＱｋ）がＩＱ平面の第１象限にある場合、時刻ｋにおけるレーンＸＩの値及びレーンＸＱの値の組（ＸＩｋ，ＸＱｋ）を（０，０）と判定する。時刻ｋにおけるＩ成分及びＱ成分の組（ＸＩｋ，ＸＱｋ）がＩＱ平面の第２象限にある場合、時刻ｋにおけるレーンＸＩの値及びレーンＸＱの値の組（ＸＩｋ，ＸＱｋ）＝（１，０）と判定する。時刻ｋにおけるＩ成分及びＱ成分の組（ＸＩｋ，ＸＱｋ）がＩＱ平面の第３象限にある場合、時刻ｋにおけるレーンＸＩの値及びレーンＸＱの値の組（ＸＩｋ，ＸＱｋ）＝（１，１）と判定する。時刻ｋにおけるＩ成分及びＱ成分の組（ＸＩｋ，ＸＱｋ）がＩＱ平面の第４象限にある場合、時刻ｋにおけるレーンＸＩの値及びレーンＸＱの値の組（ＸＩｋ，ＸＱｋ）＝（０，１）と判定する。判定部４２５は、硬判定処理の結果として、レーンＸＩｋの１ビットの値とレーンＸＱｋの１ビットの値とを、演算部４２６−１に送信する。
【００３４】
演算部４２６−１は、時刻ｋに対して単位時間前の時刻（ｋ−１）における硬判定の結果である（ＸＩｋ−１，ＸＱｋ−１）を保持している。演算部４２６−１は、差動演算を実行する。すなわち、演算部４２６−１は、（ＸＩｋ，ＸＱｋ）と（ＸＩｋ−１，ＸＱｋ−１）とに基づく式（１）により定まる値ａを決定する。演算部４２６−１は、（ＸＩｋ，ＸＱｋ）と（ＸＩｋ−１，ＸＱｋ−１）とに基づく式（２）により定まる値ｂを決定する。
【００３５】
【数１】
2017041666.tif 000003
【００３６】
【数２】
2017041666.tif 000004
【００３７】
式（１）及び式（２）における上線は、論理否定を示す。式（１）及び（２）における記号「・」は論理積を示す。
【００３８】
演算部４２６−１は、式（１）に基づく値を、レーンＰ１を介して照合部４２９−１に送信する。また、演算部４２６−１は、式（２）に基づく値を、レーンＰ２を介して照合部４２９−１に送信する。
【００３９】
受信システム４のＩ成分及びＱ成分に対して送信システム２のＩ成分及びＱ成分が反転していない場合、演算部４２６−１は、式（１）に基づく値ａを、レーンＰ１を介して照合部４２９−１に送信する。また、演算部４２６−１は、式（２）に基づく値ｂを、レーンＰ２を介して照合部４２９−１に送信する。
【００４０】
式（１）と式（２）とでは、ＸＩｋ−１とＸＱｋ−１とは入れ替わっていない。また、式（１）と式（２）とでは、ＸＩｋとＸＱｋとが入れ替わっている。
【００４１】
したがって、受信システム４の光信号のＩ成分及びＱ成分に対して送信システム２の光信号のＩ成分及びＱ成分が反転している場合には、演算部４２６−１は、式（１）に基づく値ｂを、レーンＰ１を介して照合部４２９−１に送信する。また、演算部４２６−１は、式（２）に基づく値ａを、レーンＰ２を介して照合部４２９−１に送信する。
【００４２】
非反転パタン部４２７−１は、光信号となるフレームに送信システム２によって挿入された既知信号の値を、照合部４２９−１に送信する。反転パタン部４２８−１は、送信システム２によってフレームに挿入された既知信号のＩ成分とＱ成分とが反転したパタンの値を、照合部４２９−１に送信する。
【００４３】
照合部４２９−１は、レーンＰ１の値とレーンＰ２の値との組（Ｐ１，Ｐ２）が非反転パタン（ａ，ｂ）であるか、又は、レーンＰ１の値とレーンＰ２の値との組（Ｐ１，Ｐ２）が反転パタン（ｂ，ａ）であるかを照合する。これによって、照合部４２９−１は、受信システム４の光信号のＩ成分及びＱ成分と送信システム２の光信号のＩ成分及びＱ成分とが一致しているか否かを、判定することができる。照合部４２９−１は、一致しているか否かを表す判定結果を、反転検出部４３０−１に送信する。
【００４４】
照合部４２９−１は、予め記憶されている既知信号のパタンと取得されたフレームの既知信号との一致に基づいて、取得されたフレームの先頭を検出する。照合部４２９−１は、フレーム位置情報を反転検出部４３０−１に送信する。
【００４５】
反転検出部４３０−１は、受信システム４のＩ成分及びＱ成分と送信システム２のＩ成分及びＱ成分とが一致している場合、一致を表す情報を入替部４３１−１に送信する。また、反転検出部４３０−１は、受信システム４のＩ成分及びＱ成分と送信システム２のＩ成分及びＱ成分とが反転している場合、反転を表す情報を入替部４３１−１に送信する。
【００４６】
フレーム同期部４２２は、フレーム検出部４３２と、調整部４３３（レーン調整部）とを備える。反転検出部４３０−１は、フレーム位置情報をフレーム検出部４３２に送信する。
【００４７】
入替部４３１−１は、レーンＸＩの複素データ及びレーンＸＱの複素データの組（ＸＩｋ，ＸＱｋ）を、波形等化処理部４２１から取得する。入替部４３１−１は、一致を表す情報を反転検出部４３０−１から取得した場合、レーンＸＩの複素データ及びレーンＸＱの複素データの組（ＸＩｋ，ＸＱｋ）を、フレーム検出部４３２及び調整部４３３に送信する。
【００４８】
入替部４３１−１は、反転を表す情報を反転検出部４３０−１から取得した場合、波形等化処理部４２１から取得した複素データを入れ替える。すなわち、入替部４３１−１は、反転を表す情報を反転検出部４３０−１から取得した場合、レーンＸＩの複素データ及びレーンＸＱの複素データの組（ＸＩｋ，ＸＱｋ）を入れ替えて、入れ替えられた結果である複素データの組（ＸＱｋ，ＸＩｋ）を、フレーム検出部４３２及び調整部４３３に送信する。
【００４９】
位相反転検出部４２４−２は、レーンＹＩの複素データとレーンＹＱの複素データとに対して、位相反転検出部４２４−１と同様に動作する。
【００５０】
フレーム検出部４３２は、レーンＸＩの複素データ及びレーンＸＱの複素データのフレーム位置情報を、反転検出部４３０−１から取得する。フレーム検出部４３２は、レーンＹＩの複素データ及びレーンＹＱの複素データのフレーム位置情報を、反転検出部４３０−２から取得する。フレーム検出部４３２は、フレーム位置情報を復号部４２３に転送する。
【００５１】
フレーム検出部４３２は、フレーム位置情報と、レーンＸＩの複素データと、レーンＸＱの複素データと、レーンＹＩの複素データと、レーンＹＱの複素データとに基づいて、各レーンについての同定処理を施す。すなわち、フレーム検出部４３２は、受信システム４のＩ成分及びＱ成分と送信システム２のＩ成分及びＱ成分とが一致するように、照合部４２９による照合の結果に基づいてレーン情報を調整部４３３に送信する。レーン情報は、レーンＸＩ、レーンＸＱ、レーンＹＩ又はレーンＹＱを識別するための情報である。フレーム検出部４３２は、レーン情報を調整部４３３に送信する。
【００５２】
調整部４３３は、レーンＸＩの値とレーンＸＱの値とレーンＹＩの値とレーンＹＱの値とを、レーン情報に基づいて並べ替える。調整部４３３は、レーンＸＩ’の値とレーンＸＱ’の値とレーンＹＩ’の値とレーンＹＱ’の値とを、並べ替えた結果として復号部４２３に送信する。
【００５３】
以上のように、実施形態の位相反転検出部４２４（位相反転検出回路）は、判定部４２５は、複素データに対して硬判定を実行する。演算部４２６（決定部）は、硬判定の今回（時刻ｋ）の結果と硬判定の前回（時刻ｋ−１）の結果とに基づくパタンである第１パタン（ａ，ｂ）又は（ｂ，ａ）を決定する。照合部４２９は、非反転パタン（ａ，ｂ）又は反転パタン（ｂ，ａ）と第１パタンとを照合する。照合部４２９は、非反転パタン（ａ，ｂ）又は反転パタン（ｂ，ａ）と第１パタンとが一致しているか否かを判定する。反転検出部４３０は、複素データの位相における同相成分（Ｉ成分）と直交成分（Ｑ成分）とが反転しているか否かを、照合部４２９による照合の結果に基づいて検出する。
【００５４】
これによって、実施形態の位相反転検出部４２４（位相反転検出回路）は、送信システム２における光信号のＩ成分及びＱ成分と受信システム４における光信号のＩ成分及びＱ成分とが一致しているか否かを、受信システム４において検出することが可能である。
【００５５】
入替部４３１は、Ｉ成分とＱ成分とが反転している場合、Ｉ成分とＱ成分とを入れ替える。また、反転パタン（ｂ，ａ）は、Ｉ成分とＱ成分とが反転している場合における第１パタン（ｂ，ａ）と等しい。
【００５６】
上述した実施形態における光伝送システム、位相反転検出回路、送信システム及び受信システムの少なくとも一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００５７】
以上、この発明の実施形態について図面を参照して詳述してきたが、具体的な構成はこの実施形態に限られるものではなく、この発明の要旨を逸脱しない範囲の設計等も含まれる。
【符号の説明】
【００５８】
１…光伝送システム、２…送信システム、３…伝送路、４…受信システム、２０…ＤＳＰ、２１…信号処理部、２２…変換部、４０…変換部、４１…ＤＳＰ、４２…信号処理部、４２１…波形等化処理部、４２２…フレーム同期部、４２３…復号部、４２４…位相反転検出部、４２５…判定部、４２６…演算部、４２７…非反転パタン部、４２８…反転パタン部、４２９…照合部、４３０…反転検出部、４３１…入替部、４３２…フレーム検出部、４３３…調整部
【図１】
2017041666.tif 000005
【図２】
2017041666.tif 000006
【図３】
2017041666.tif 000007
【図４】
2017041666.tif 000008
【図５】
2017041666.tif 000009